(57)【特許請求の範囲】
【請求項１】
複数のバッテリステーションと、情報処理装置とを備えた情報処理システムであって、
それぞれのバッテリステーションは、
交換型バッテリを充電可能な充電手段と、
前記バッテリステーションに配置されている交換型バッテリの充電量に関わる充電情報を送信する第一の通信手段と、を備え、
前記情報処理装置は、
前記第一の通信手段から前記充電情報を受信する第二の通信手段と、
受信した前記充電情報に基づいてバッテリステーション毎の充電量を特定する特定手段と、
特定したバッテリステーション毎の前記充電量に基づいて、前記バッテリステーション間での交換型バッテリの移動プランを作成する移動計画手段と、
を備えることを特徴とする情報処理システム。
【請求項２】
バッテリステーション毎の前記充電量は、該バッテリステーションに配置されている交換型バッテリの総充電量であることを特徴とする請求項１に記載の情報処理システム。
【請求項３】
バッテリステーション毎の前記充電量は、該バッテリステーションに配置可能な交換型バッテリの容量の合計に対する配置されている交換型バッテリの充電量の合計の割合であることを特徴とする請求項１に記載の情報処理システム。
【請求項４】
前記移動計画手段が、充電量が多い前記バッテリステーションから充電量が少ない前記バッテリステーションへ、交換型バッテリが移動されるように移動プランを作成することを特徴とする請求項１に記載の情報処理システム。
【請求項５】
前記充電情報は、前記バッテリステーションに配置されている交換型バッテリの充電量の合計に関する情報であることを特徴とする、請求項１に記載の情報処理システム。
【請求項６】
前記充電情報が、前記バッテリステーションに配置されている交換型バッテリの個別の充電量に関する情報を含み、
前記特定手段は、各交換型バッテリの充電量を合計して前記バッテリステーションの前記充電量を演算することを特徴とする、請求項１に記載の情報処理システム。
【請求項７】
前記充電情報が各交換型バッテリの識別子を含み、
前記移動計画手段は、少なくとも１つの前記交換型バッテリの前記識別子を含む前記移動プランを作成することを特徴とする請求項１に記載の情報処理システム。
【請求項８】
前記移動計画手段が、２つのバッテリステーションの充電量の差が第一の閾値を超えた場合に、充電量が多いバッテリステーションから充電量が少ないバッテリステーションへ、交換型バッテリが移動されるように移動プランを計画することを特徴とする請求項１に記載の情報処理システム。
【請求項９】
前記移動計画手段は、各バッテリステーションの総充電量と基準値とを比較し、総充電量が基準値より多くかつ総充電量と基準値との差が第二の閾値以上であるバッテリステーションから、総充電量が基準値より少なくかつ基準値と総充電量との差が第三の閾値以上であるバッテリステーションへ、交換型バッテリが移動されるように移動プランを作成することを特徴とする請求項１に記載の情報処理システム。
【請求項１０】
前記情報処理装置は、各バッテリステーションの需要の予測を行う需要予測手段をさらに含み、
前記移動計画手段は予測した前記需要にさらに基づいて前記移動プランを作成することを特徴とする、請求項１に記載の情報処理システム。
【請求項１１】
前記情報処理装置が、
前記交換型バッテリの移動プランに関する情報を、登録ユーザのユーザ端末に配信する配信手段をさらに備えることを特徴とする、請求項１に記載の情報処理システム。
【請求項１２】
前記第一の通信手段は、前記バッテリステーションを利用したユーザを識別するユーザ識別情報を送信し、
前記情報処理装置が、前記第二の通信手段で受信した前記ユーザ識別情報に基づいて、ユーザの利用履歴を管理するユーザ管理手段をさらに備えることを特徴とする請求項１に記載の情報処理システム。
【請求項１３】
前記情報処理装置が、作成した前記移動プランに従って交換型バッテリを移動させたユーザの実績情報を前記ユーザ管理手段に格納することを特徴とする、請求項１２に記載の情報処理システム。
【請求項１４】
前記バッテリステーションが、前記交換型バッテリから外部装置に電力を供給可能な給電手段をさらに有することを特徴とする、請求項１に記載の情報処理システム。
【請求項１５】
複数のバッテリステーションと通信可能な情報処理装置であって、
それぞれのバッテリステーションは、
交換型バッテリを充電可能な充電手段と、
前記バッテリステーションに配置されている交換型バッテリの充電量に関わる充電情報を送信する第一の通信手段と、を備え、
前記情報処理装置は、
前記第一の通信手段から前記充電情報を受信する第二の通信手段と、
受信した前記充電情報に基づいてバッテリステーション毎の充電量を特定する特定手段と、
特定したバッテリステーション毎の前記充電量に基づいて、前記バッテリステーション間での交換型バッテリの移動プランを作成する移動計画手段と、
を備えることを特徴とする情報処理装置。
【請求項１６】
複数のバッテリステーションであって、
交換型バッテリを充電可能な充電手段と、
それぞれのバッテリステーションに配置されている交換型バッテリの充電量に関わる充電情報を送信する第一の通信手段と、を備える前記複数のバッテリステーションと通信可能な情報処理装置で実行され、
前記第一の通信手段から前記充電情報を受信する通信工程と、
受信した前記充電情報に基づいてバッテリステーション毎の充電量を特定する特定工程と、
特定したバッテリステーション毎の前記充電量に基づいて、前記バッテリステーション間での交換型バッテリの移動プランを作成する移動計画工程と、
を含むことを特徴とする情報処理方法。
【発明の詳細な説明】
【技術分野】
【０００１】
本発明は情報処理システム、情報処理装置および情報処理方法に関する。
【背景技術】
【０００２】
特許文献１には、取り外し可能なバッテリで動作する電動二輪車を保管する自動保管システム及びそのようなシステムのバッテリが提案されている。
【先行技術文献】
【特許文献】
【０００３】
【特許文献１】特開２０１４−２１１０７７号公報
【発明の概要】
【発明が解決しようとする課題】
【０００４】
ここで、バッテリステーションの利用者数が偏り、特定のバッテリステーションに配置された交換型バッテリの充電量が低下することで、利用を希望しているユーザが電動車両を使用できない状態が生じうる。また、そのようなバッテリステーションは、緊急時には予備電源としての活用を見込める。しかし、バッテリステーションでの充電量が低ければ予備電源としての活用が期待できない。【０００５】
本発明の目的は、交換型バッテリが配置されるバッテリステーションの充電量を調整可能とすることにある。
【課題を解決するための手段】
【０００６】
本発明によれば、情報処理システムは、複数のバッテリステーションと、情報処理装置とを備えた情報処理システムであって、各バッテリステーションは、交換型バッテリを充電可能な充電手段と、前記バッテリステーションに配置されている交換型バッテリの充電量に関わる充電情報を送信する第一の通信手段と、を備え、前記情報処理装置は、前記第一の通信手段から前記充電情報を受信する第二の通信手段と、受信した前記充電情報に基づいてバッテリステーション毎の充電量を特定する特定手段と、特定したバッテリステーション毎の前記充電量に基づいて、前記バッテリステーション間での交換型バッテリの移動プランを作成する移動計画手段と、を備えることを特徴とする。【０００７】
また、本発明によれば、情報処理装置は、複数のバッテリステーションと通信可能な情報処理装置であって、それぞれのバッテリステーションは、交換型バッテリを充電可能な充電手段と、前記バッテリステーションに配置されている交換型バッテリの充電量に関わる充電情報を送信する第一の通信手段と、を備え、前記情報処理装置は、前記第一の通信手段から前記充電情報を受信する第二の通信手段と、受信した前記充電情報に基づいてバッテリステーション毎の充電量を特定する特定手段と、特定したバッテリステーション毎の前記充電量に基づいて、前記バッテリステーション間での交換型バッテリの移動プランを作成する移動計画手段と、を備えることを特徴とする。【０００８】
また、本発明によれば、情報処理方法は、複数のバッテリステーションであって、交換型バッテリを充電可能な充電手段と、それぞれのバッテリステーションに配置されている交換型バッテリの充電量に関わる充電情報を送信する第一の通信手段と、を備える前記複数のバッテリステーションと通信可能な情報処理装置で実行され、前記第一の通信手段から前記充電情報を受信する通信工程と、受信した前記充電情報に基づいてバッテリステーション毎の充電量を特定する特定工程と、特定したバッテリステーション毎の前記充電量に基づいて、前記バッテリステーション間での交換型バッテリの移動プランを作成する移動計画工程と、を含むことを特徴とする。
【発明の効果】
【０００９】
本発明によれば、バッテリステーション毎の充電量に基づいて、移動プランを作成することにより、バッテリステーション間で充電量の調整が可能となる。
【図面の簡単な説明】
【００１０】
【図１】実施形態に係る情報処理システムのシステム図。
【図２】第一の実施形態に係る情報処理システムのブロック図。
【図３】情報処理システムのストレージに格納されるバッテリステーションに関する情報の一例を示す図。
【図４】第一の実施形態に係る情報処理システムの処理シーケンス図。
【図５Ａ】第一の実施形態に係るバッテリステーションの総充電量と、交換型バッテリの移動プランとを示す図。
【図５Ｂ】第一の実施形態に係るバッテリステーションの総充電量と、交換型バッテリの移動プランとを示す図。
【図６】第二の実施形態に係るバッテリステーションの総充電量と、交換型バッテリの移動プランとを示す図。
【図７】第三の実施形態に係る情報処理システムが実行する、バッテリステーションの総充電量と必要量の比較に基づいて移動プランを作成する処理のフローチャート図。
【図８】情報処理システムのストレージに格納されるユーザに関する情報の一例を示す図。
【図９】第四の実施形態に係る情報処理システムが配信する移動プランを表示する画面例。
【図１０】第四の実施形態に係る情報処理システムが配信する移動プランを表示する画面例。
【図１１】第五の実施形態に係るバッテリステーションと交換型バッテリとを示す図。
【発明を実施するための形態】
【００１１】
以下、本発明の実施の形態について、図面を参照しながら説明する。
【００１２】
＜第一の実施形態＞
本実施形態は、交換型バッテリのユーザがバッテリステーションでバッテリを受け取り、当該または他のバッテリステーションに持ち込み、交換型バッテリの充電や交換を行うことを支援するシステムを提供する。その中で、本システムは、バッテリステーション間で、交換型バッテリの充電量の合計（総充電量）を調整する仕組みを提供するものである。
【００１３】
図１を参照して、本実施形態に係る情報処理システムを説明する。情報処理システム１００は、情報処理装置（センターサーバ）１０１、バッテリステーション１０２１、１０２２、１０２３（総称してバッテリステーション１０２と呼ぶ）を含む。情報処理装置１０１と各バッテリステーション１０２とは、通信ネットワーク１０３によって通信可能に接続される。
【００１４】
情報処理装置１０１は、複数のバッテリステーション１０２と通信し、バッテリステーション１０２の情報や、ユーザの情報を管理するサーバである。特に、バッテリステーション１０２に配置される交換型バッテリに関する情報の管理を行う。
【００１５】
バッテリステーション１０２は、複数の交換型バッテリを保管可能な設備であり、交換型バッテリの充電と、ユーザへの貸し出し等を行う設備である。バッテリステーション１０２は、近隣設備と電気的に接続され、電力の送受電が可能であってもよい。近隣設備とは、住宅、ガソリンスタンドやコンビニエンスストアといった店舗、駅、事務所、自動販売機、駐車場、駐輪場、および信号機を含む。
【００１６】
図１の例では、バッテリステーション１０２１は住宅、バッテリステーション１０２２は自動販売機、バッテリステーション１０２３はガソリンスタンドと電気的に接続されている。こうした構成によって、近隣設備から受電することができる一方、非常時には近隣設備に送電するための予備電源としても利用できる。
【００１７】
また、バッテリステーション１０２は、交換型バッテリの保管場所として、充電設備（具体的には後述する充電部２２４）につながっているもののほか、充電中ではない在庫として交換型バッテリが配置されるスペース（保管庫）があってもよい。また、バッテリステーション１０２は、管理人によって運用されてもよいし、無人のバッテリステーション１０２であってもよい。
【００１８】
また、バッテリステーション１０２は、当該バッテリステーション１０２に配置された交換型バッテリの充電量の合計に関する情報を情報処理装置１０１に送信する処理を行う。この処理は、バッテリステーション１０２に管理人がいる場合には管理人からの指示を契機にして実行されてもよいし、定期的に実行されてもよいし、または情報処理装置１０１からの要求に応じて実行されてもよい。交換型バッテリの充電量の合計に関する情報は、図３を参照して後述する。
【００１９】
なお、バッテリステーション１０２に配置可能な交換型バッテリの数は１つ以上であればよく、バッテリステーション１０２ごとに異なってもよい。例えば、自動販売機に付帯して設けられる構成のような設置スペースが限られた場所に配置可能な交換型バッテリの数は、ガソリンスタンドのようなある程度の設置スペースが確保できる場所に配置可能な交換型バッテリの数より少なくてもよい。
【００２０】
なお、本実施形態では、全ての交換型バッテリは同一種類で、同一の蓄電容量を有するものとするが、異なる種類でもよく、蓄電容量が異なるものであってもよい。
【００２１】
通信ネットワーク１０３は、情報処理装置１０１とバッテリステーション１０２とを通信可能に接続し、有線ネットワーク、セルラネットワーク、および無線ローカルネットワークを含む。
【００２２】
次に、本実施形態に係る情報処理システムのブロック図を図２に示す。
【００２３】
情報処理装置１０１は、制御部２１１、ストレージ２１２、通信部２１３を備える。制御部２１１は、たとえばＣＰＵなどのプロセッサであり、ストレージ２１２に格納された処理を実行する。この処理は、例えば、バッテリステーション１０２の総充電量に関する情報を管理する処理や、後述するバッテリステーション１０２間での交換型バッテリ２４１の移動プランを作成する処理を実行する。
【００２４】
ストレージ２１２は、ＲＯＭ、ＲＡＭ、ＨＤＤ等の記憶デバイスである。このストレージ２１２には、制御部２１１が実行するプログラムのほか、各種のデータが格納される。一例では、ストレージ２１２に格納されたプログラムをＣＰＵ（不図示）がＲＡＭ（不図示）に展開し、実行することで制御部２１１の機能を実現することができる。
【００２５】
ここで、図３を参照して、ストレージ２１２に格納されるバッテリステーションに関する情報の一例を示す。
【００２６】
ステーションＩＤ３０１はバッテリステーション１０２の識別子を、ステーション位置３０２はバッテリステーション１０２の位置に関する情報を格納する。また、ステーション総充電量３０３はバッテリステーション１０２の総充電量に関する情報を格納する。バッテリ識別子３０４、３０６、および３０８は交換型バッテリ２４１の識別子を、バッテリ充電量３０５、３０７、および３０９は交換型バッテリ２４１の充電量に関する情報を格納する。ステーションＩＤ３０１およびステーション位置３０２は、合わせてステーション情報とも呼ばれる。また、総充電量３０３、バッテリ識別子３０４、３０６および３０８、ならびにバッテリ充電量３０５、３０７、および３０９は充電情報とも呼ばれる。なお、一例では、充電情報は、個々の交換型バッテリ２４１に関する情報３０４〜３０９のみが格納されてもよい。あるいは、交換型バッテリ２４１に関する情報３０４〜３０９が省略され、バッテリステーション１０２の総充電量を示す演算結果のみが格納されてもよい。また、ステーション位置３０２は、その住所または緯度および経度の少なくとも何れかに対応しうる。
【００２７】
本明細書では、交換型バッテリ２４１の充電量は、交換型バッテリ２４１の充電済みの電力量（例えばキロワット時）または蓄電容量に対する充電済みの電力量の割合（例えばパーセント）に対応する。また、本実施形態では、総充電量は、バッテリステーション１０２に配置された交換型バッテリ２４１の充電済みの電力量の合計（例えばキロワット時）である。しかしながら、別の例では、総充電量は、バッテリステーション１０２に配置可能な交換型バッテリ２４１の蓄電容量の合計に対する充電済みの電力量の割合（例えばパーセント）であってもよい。
【００２８】
図２の説明に戻る。通信部２１３は、情報処理装置１０１が通信ネットワーク１０３に接続するための有線または無線ネットワークのインタフェースである。
【００２９】
バッテリステーション１０２のそれぞれは、制御部２２１、ストレージ２２２、通信部２２３および充電部２２４を備える。
【００３０】
制御部２２１は、たとえばＣＰＵなどのプロセッサであり、ストレージ２２２に格納された処理を実行するためにバッテリステーションの各構成要素を制御する。この処理は、例えばバッテリステーション１０２に接続された交換型バッテリ２４１の充電量を取得する処理や、情報処理装置１０１に当該バッテリステーション１０２の総充電量に関する情報を送信する処理を含む。
【００３１】
ストレージ２２２には、制御部２２１が実行するプログラムのほか、各種のデータが格納される。一例では、ストレージ２２２に、ステーション情報または充電情報の少なくとも何れかの全部または一部が格納されてもよい。
【００３２】
通信部２２３は、バッテリステーション１０２が通信ネットワーク１０３を介して当該バッテリステーション１０２の総充電量を特定することが可能な情報を情報処理装置１０１に送信するために使用する通信インタフェースである。
【００３３】
充電部２２４は、交換型バッテリ２４１を充電するために電気的に接続することができ、制御部２２１によって充電処理が制御される。本実施形態では、バッテリステーション１０２に配置された交換型バッテリ２４１は、その何れもがバッテリステーション１０２に電気的に接続されている。
【００３４】
なお、バッテリステーション１０２に配置された交換型バッテリ２４１は必ずしも電気的に接続されている必要はなく、例えば在庫としてバッテリステーション１０２に保管されているだけでもよい。その場合の交換型バッテリ２４１の充電量は、満充電されてから経過した時間（充電後の時間）に応じた値、または充電センサの値、であってもよい。
【００３５】
一例では、バッテリステーション１０２は、電気的に接続された交換型バッテリ２４１の電圧、抵抗、電流などの電気的特性を測定することで、交換型バッテリ２４１の充電量に関する情報を取得することができる。別の例では、交換型バッテリ２４１とバッテリステーション１０２とは通信可能であり、交換型バッテリ２４１自身が交換型バッテリ２４１の充電量を取得し、バッテリステーション１０２に交換型バッテリ２４１の充電量に関する情報を送信してもよい。
【００３６】
次に、情報処理装置１０１の制御部２１１が実行する処理例を説明する。ここでは移動プランの作成に関する処理について説明する。移動プランとは、情報処理装置１０１が、バッテリステーション１０２の総充電量を調整するためにユーザに依頼する、バッテリステーション１０２間の交換型バッテリ２４１の移動に関する情報である。総充電量を調整する理由は以下の通りである。
【００３７】
バッテリステーション１０２の利用者数が偏り、一部のバッテリステーション１０２の総充電量が低下すると、そのバッテリステーション１０２に対するユーザの利用頻度が低下する。また、バッテリステーション１０２に配置されている交換型バッテリ２４１は、近隣で生じた大規模停電など緊急時における予備電源としての利用も期待される。しかし、バッテリステーション１０２での充電量（蓄電量）が低ければ、そのステーションの交換型バッテリ２４１について予備電源としての活用が期待できない。
【００３８】
そこで、本実施形態では、バッテリステーション１０２間での充電量を調整する移動プランを作成する。この移動プランをユーザに提供し、移動プランに対応する行動を促した場合には、交換型バッテリ２４１の循環が促進され、総充電量が低下したバッテリステーション１０２の総充電量を改善することができる。これによって、バッテリステーション１０２の利用を希望するユーザに交換型バッテリ２４１を提供するため、または緊急時の予備電源として提供するための総充電量を確保することができる。
【００３９】
交換型バッテリ２４１の移動は、バッテリステーション１０２間を、ユーザが当該交換型バッテリを運搬することにより、またはユーザが当該交換型バッテリを電動車両に装着し交換型バッテリの電力を使用して移動することにより実現されうる。また、一例では、交換型バッテリ２４１の移動は、交換型バッテリ２４１が保有する電力の移動、すなわち電線などを用いた電力のみの移動であってもよい。このような電力のみの移動は、電力系統に接続されたバッテリステーション１０２間で、交換型バッテリ２４１の充放電量の調整を行うことで実現されうる。
【００４０】
次に、図４を参照して、交換型バッテリ２４１の移動プランを作成するために情報処理装置１０１とバッテリステーション１０２とが行う処理について説明する。一例では、ストレージ２１２に格納されたプログラムを制御部２１１が実行することで情報処理装置１０１の処理を実現することができる。
【００４１】
まず、Ｓ４０１で、バッテリステーション１０２は、当該バッテリステーション１０２に配置された全ての交換型バッテリ２４１の充電量に関する情報を取得する。本実施形態では、バッテリステーション１０２が定期的にＳ４０１の処理を開始するものとして説明をするが、上述したように、管理人の指示または情報処理装置１０１の要求を契機としても実行されてもよい。
【００４２】
次に、Ｓ４０２で、バッテリステーション１０２は、情報処理装置１０１に通信部２２３を介してバッテリステーション１０２の位置などに関する情報（ステーション情報）および総充電量に関する情報（充電情報）を送信する。ステーション情報と充電情報とは、同時に、または順番に送信されてもよい。続いて、Ｓ４０３で、情報処理装置１０１は受信したステーション情報および充電情報を、ストレージ２１２に格納する。
【００４３】
なお、Ｓ４０２でバッテリステーション１０２が送信するステーション情報は、必ずしもバッテリステーション１０２の位置情報を含まなくてもよい。このような場合、一例では、バッテリステーション１０２の識別子を含むステーション情報を受信した情報処理装置１０１が、ストレージ２１２から、受信した識別子を用いてバッテリステーション１０２の位置情報を読み出してもよい。また、上述したように、Ｓ４０２でバッテリステーション１０２が送信する充電情報は、当該バッテリステーション１０２に配置された交換型バッテリ２４１の個別の充電量またはそれに基づいて生成された総充電量の少なくとも一つの情報である。
【００４４】
次に、Ｓ４０４で、情報処理装置１０１はバッテリステーション１０２ごとに総充電量を特定する。情報処理装置１０１がバッテリステーション１０２から、そこに配置された交換型バッテリ２４１の充電量の合計値を受信する場合は、情報処理装置１０１はその合計値をバッテリステーション１０２の総充電量として特定する。あるいは、情報処理装置１０１がバッテリステーション１０２に配置された交換型バッテリ２４１の個別の充電量を受信する場合は、当該個別の充電量を加算（演算）してそのバッテリステーション１０２の総充電量を計算してもよい。
【００４５】
次に、Ｓ４０５で、情報処理装置１０１は、複数のバッテリステーション１０２のステーション情報と充電情報とに基づいて、交換型バッテリ２４１の移動プランを作成する。一例では、情報処理装置１０１は、それぞれの総充電量の差が所定値以上かつ所定距離内に位置する、総充電量の多いバッテリステーション１０２から総充電量の少ないバッテリステーション１０２へ、交換型バッテリ２４１の移動プランを作成する。
【００４６】
ここで、図５Ａおよび図５Ｂを参照し、第一の実施形態に係る情報処理装置１０１が作成する移動プランの例を説明する。
【００４７】
図５Ａおよび図５Ｂは、バッテリステーション５０１、５０２、５０３の総充電量に応じて作成される移動プランの２つの例を示す。この例では、情報処理装置１０１は、あるバッテリステーションの総充電量が、他のバッテリステーションの総充電量と比較して、１００ｋＷｈ以上多い場合に、当該バッテリステーションは総充電量が多いと判断しうる。
【００４８】
図５Ａでは、バッテリステーション５０１は総充電量が１４０ｋＷｈであり、バッテリステーション５０２は総充電量が４０ｋＷｈであり、バッテリステーション５０３は総充電量が１００ｋＷｈである。バッテリステーション５０１はバッテリステーション５０２と比較して総充電量が１００ｋＷｈ以上多く、バッテリステーション５０３は他のバッテリステーションと比べて総充電量の差が１００ｋＷｈ未満である。そのため、情報処理装置１０１は、バッテリステーション５０１からバッテリステーション５０２へ、バッテリステーション５０１の交換型バッテリ２４１を移動するよう移動プランを作成することができる。
【００４９】
図５Ｂでは、バッテリステーション５０１は総充電量が６０ｋＷｈであり、バッテリステーション５０２は総充電量が１８０ｋＷｈであり、バッテリステーション５０３は総充電量が７０ｋＷｈである。バッテリステーション５０２の総充電量は、バッテリステーション５０１および５０３のそれぞれの総充電量より１００ｋＷｈ以上多い。そのため、情報処理装置１０１は、バッテリステーション５０２からバッテリステーション５０１および５０３へ、バッテリステーション５０２の交換型バッテリを移動するよう移動プランを作成することができる。
【００５０】
図４の説明に戻る。次に、Ｓ４０６で、情報処理装置１０１は、ユーザに移動プランを提供する。一例では、情報処理装置１０１は外部の電子メールサービスを利用し、または電子メールサーバとして機能して、作成した移動プランに関する情報を含む電子メールを登録ユーザのユーザ端末に配信し、移動プランの実行を依頼する。また、一例では、外部のＷｅｂサービスにアップロードし、またはＷｅｂサーバとして機能して、作成した移動プランに関する情報を公開し、不特定のユーザに協力を仰いでもよい。ユーザに移動プランを提供する処理の詳細については、第四の実施形態で後述して説明する。
【００５１】
以上説明したように、本実施形態によれば、バッテリステーション１０２の総充電量に基づいて情報処理装置１０１が移動プランを作成する。これによって、バッテリステーションが保有する電力（総充電量）を調整することができる。
【００５２】
また、本実施形態によれば、総充電量の多いバッテリステーション１０２から総充電量の少ないバッテリステーション１０２へ交換型バッテリ２４１を移動するよう移動プランを作成することができる。これによって、総充電量の少ないバッテリステーション１０２の総充電量を平準化し、そこに配置された交換型バッテリ２４１の充電を待つより早く改善することができる。
【００５３】
また、本実施形態によれば、バッテリステーション１０２から情報処理装置１０１に送信される充電情報は、バッテリステーション１０２に配置された交換型バッテリ２４１の充電量の合計値を含む。これによって、情報処理装置１０１がバッテリステーション１０２から受信するデータ量を削減し、情報処理装置１０１の処理負荷を抑えることができる。
【００５４】
以上説明したように、本実施形態では、情報処理装置が作成した移動プランに関する情報を作成するため、登録ユーザのユーザ端末に配信することでバッテリステーション１０２の総充電量の調整に寄与できる。本実施形態では、メールなどで特定のユーザに直接移動プランが提供されるため、交換型バッテリ２４１の移動を促進することができる。なお、移動プランに関する交換型バッテリ２４１の移動を実行したユーザにはインセンティブ（報酬）を与えてもよい。インセンティブの具体例は、第四の実施形態で説明する。
【００５５】
＜第二の実施形態＞
第一の実施形態では、交換型バッテリ２４１を特定せずに、交換型バッテリの移動を促す移動プランを作成したが、一例では、交換型バッテリ２４１を特定し、交換型バッテリ２４１に関する情報を含めた移動プランを作成してもよい。
【００５６】
本実施形態では、バッテリステーション１０２に配置された各交換型バッテリ２４１は識別子を有し、交換型バッテリ２４１の識別子を用いて移動プランを作成する情報処理システム１００の一例を説明する。本実施形態では、情報処理装置１０１の制御部２１１が行う図４の処理の一例について図６を参照して説明する。なお、第一の実施形態と同様の構成または処理については説明を省略する。
【００５７】
一例では、バッテリステーション１０２は、そこに配置される交換型バッテリ２４１と通信可能に構成され、Ｓ４０１で、バッテリステーション１０２は通信によって交換型バッテリ２４１の識別子および充電量を取得する。続いてＳ４０２で、バッテリステーション１０２は、当該バッテリステーションのステーション情報および交換型バッテリ２４１の識別子と充電量とを含む充電情報を情報処理装置１０１に送信する。
【００５８】
Ｓ４０３で、情報処理装置１０１は、ステーション情報と充電情報との少なくとも一部をストレージ２１２に格納し、Ｓ４０４で情報処理装置１０１は各交換型バッテリ２４１の充電量を加算（演算）し、バッテリステーション１０２の総充電量を取得する。
【００５９】
次に、Ｓ４０５で、情報処理装置１０１は、バッテリステーション１０２のステーション情報と充電情報とに基づいて、交換型バッテリ２４１の移動プランを作成する。
【００６０】
ここで、交換型バッテリ２４１の識別子を用いて情報処理装置１０１が移動プランを作成する図４のＳ４０５の処理について図６の具体例を用いて説明する。
【００６１】
本実施形態では、図６に示すように、一定範囲内に、３つの交換型バッテリが配置可能なバッテリステーション６０１、６０２、６０３があるものとする。
【００６２】
バッテリステーション６０１は、充電量が９０ｋＷｈのバッテリ１、充電量が８０ｋＷｈのバッテリ２、充電量が７０ｋＷｈのバッテリ３が配置されており、総充電量は２４０ｋＷｈである。バッテリステーション６０２は、充電量が５０ｋＷｈのバッテリ４、充電量が４０ｋＷｈのバッテリ５、充電量が３０ｋＷｈのバッテリ６が配置されており、総充電量は１２０ｋＷｈである。バッテリステーション６０３は、充電量が９０ｋＷｈのバッテリ７、充電量が８０ｋＷｈのバッテリ８、充電量が１０ｋＷｈのバッテリ９が配置されており、総充電量は１８０ｋＷｈである。
【００６３】
本実施形態では、総充電量の多いバッテリステーションから移動させる交換型バッテリと、それと交換させる、総充電量の少ないバッテリステーションの交換型バッテリとのうち、少なくとも何れかの識別子を指定して移動プランを作成することができる。例えば、情報処理装置１０１は、総充電量の多いバッテリステーション６０１に配置された交換型バッテリ２４１のうち、最も充電量の多いバッテリ１を、バッテリステーション６０２に移動させるよう移動プランを作成しうる。または、総充電量の多いバッテリステーション６０１のバッテリ１を、例えば総充電量の少ないバッテリステーション６０２に配置された交換型バッテリのうち、最も充電量の少ないバッテリ６と交換するよう移動プランを作成してもよい。
【００６４】
移動させる交換型バッテリ２４１は、任意の基準で情報処理装置１０１によって決定されうる。一例では、総充電量の多いバッテリステーション６０１に配置され、充電量が二番目に多いバッテリ２を、総充電量の少ないバッテリステーション６０２に配置され、最も充電量の少ないバッテリ６と交換してもよい。これによって、バッテリステーション６０１で交換型バッテリの利用を希望するユーザのために充電量の多いバッテリを確保しつつ、総充電量の少ないバッテリステーションの総充電量を改善できる。あるいは、別の例では、総充電量の多いバッテリステーション６０１の総充電量と、総充電量の少ないバッテリステーション６０２の総充電量との差が、交換型バッテリ２４１の交換後に最小になるよう移動プランを作成してもよい。
【００６５】
図６で、バッテリステーション６０１の充電量が９０ｋＷｈであるバッテリ１を移動させる場合を仮定すると、情報処理装置１０１は移動後のバッテリステーション６０１の総充電量が１５０ｋＷｈであることを推定する。次に、情報処理装置１０１は、移動後のバッテリステーション６０１と６０２との総充電量の差が最小となるように、充電量が９０ｋＷｈのバッテリ１を、充電量が５０ｋＷｈのバッテリ４と交換するよう移動プランを作成することができる。この場合、交換型バッテリの移動後のバッテリステーション６０２の総充電量は１６０ｋＷｈとなる。
【００６６】
以上説明したように、本実施形態では、バッテリステーション１０２に配置された各交換型バッテリ２４１の充電量に関する情報が情報処理装置１０１に送信され、情報処理装置１０１は当該情報に基づきバッテリステーション１０２の総充電量を特定する。これによって、情報処理装置１０１が、交換型バッテリ２４１を移動させるとどの程度総充電量が変化するのかを見積もることができる。
【００６７】
また、本実施形態では、各交換型バッテリ２４１の識別子がバッテリステーション１０２から情報処理装置１０１に送信され、情報処理装置１０１は当該識別子を含む移動プランを作成する。これによって、情報処理装置１０１が識別子を指定して交換型バッテリ２４１の移動を依頼することが可能になる。
【００６８】
また、本実施形態では、２つのバッテリステーション１０２の総充電量の差が閾値を超えた場合に、総充電量の多いバッテリステーション１０２から総充電量の少ないバッテリステーション１０２に交換型バッテリを移動するよう移動プランを作成する。これによって、情報処理装置１０１が、バッテリステーション１０２の総充電量を相対的に比較して平準化することが可能となる。
【００６９】
＜第三の実施形態＞
第一および第二の実施形態では、情報処理装置１０１はバッテリステーション１０２の総充電量を相対的に比較して移動プランを作成することができる。一例では、それぞれのバッテリステーション１０２は、満たすべき総充電量が設定され、情報処理装置１０１は、それぞれのバッテリステーション１０２の満たすべき総充電量に基づき移動プランを作成することができる。
【００７０】
本実施形態では、バッテリステーション１０２が備えるべき充電量（必要量）と総充電量とを比較して移動プランを作成する情報処理システム１００について説明する。本実施形態では、情報処理装置１０１の制御部２１１が行う図４のＳ４０５の処理の一例について図７を参照して説明し、第一または第二の実施形態と同様の構成または処理については説明を省略する。
【００７１】
なお、本実施形態では、各交換型バッテリ２４１は識別子を有し、バッテリステーション１０２は、Ｓ４０２で、そこに配置された各交換型バッテリ２４１の識別子と充電量を情報処理装置１０１に送信するものとする。
【００７２】
Ｓ７０１で、制御部２１１はＳ４０５の処理を開始する。続いて、Ｓ７０２で制御部２１１はバッテリステーション１０２の必要量とその閾値とを判断する。
【００７３】
一例では、必要量は、バッテリステーション１０２に配置されうる、もしくは配置されている交換型バッテリ２４１の蓄電容量、またはバッテリステーション１０２の設置場所に基づいて、予備電源としての観点から情報処理装置１０１によって設定されうる。予備電源としての観点とは、交換型バッテリ２４１が配置されたバッテリステーション１０２が、緊急時に有するべき電力量を示す。例えば、バッテリステーション１０２が住宅などの緊急時に大きな電力を必要とする場所に設置される場合、自動販売機などの緊急時に大きな電力を必要としない場所に設置される場合と比較して、予備電源として有するべき電力量は大きくてもよい。したがって、バッテリステーション１０２の設置場所を分類し、例えば設置場所が緊急時に比較的大きな電力を必要とする場所である場合は必要量を７０％とし、緊急時に大きな電力を必要としない場所である場合は必要量を５０％としてもよい。
【００７４】
別の例では、バッテリステーション１０２の必要量は、そのバッテリステーション１０２の所有者または特権ユーザによってあらかじめ設定されうる。例えば、バッテリステーション１０２を設置している建物の所有者は、緊急時に備えて確保しておきたい充電量を、例えば情報処理装置１０１またはバッテリステーション１０２に設定することができるよう構成されてもよい。
【００７５】
別の例では、情報処理装置１０１は需要予測部を備え、需要予測部は、バッテリステーション１０２の必要量を、バッテリステーション１０２の利用履歴に基づいて予測し、設定しうる。
【００７６】
一例では、情報処理装置１０１は、ストレージ２１２に、例えば過去１か月などの一定期間にわたる、バッテリステーション１０２の総充電量の履歴または交換型バッテリ２４１の充電量の履歴を格納してもよい。また、交換型バッテリ２４１が過去に配置されたバッテリステーション１０２に関する履歴、またはバッテリステーション１０２もしくは交換型バッテリ２４１を利用したユーザに関する履歴情報も格納してもよい。
【００７７】
需要予測部は、例えば１日１回など定期的に、あるいは、バッテリステーション１０２からバッテリステーション１０２に関する情報を受信したことを契機に需要予測を行ってもよい。
【００７８】
例えば、行楽地では、平日より休日に充電された交換型バッテリの需要が高まりうるし、通勤・通学ユーザが多い地域では、日中より朝方、夕方に充電された交換型バッテリ２４１の需要が高まりうる。このような日時による需要の変動を、例えば情報処理装置１０１の需要予測部がバッテリステーション１０２の過去の総充電量の変動を記録しておき、総充電量の分散や平均などの統計的処理を用いて需要予測を行い、必要量を予測してもよい。または、バッテリステーション１０２を利用するユーザの識別子が取得可能である場合には、一定の周期でバッテリステーション１０２を利用する特定のユーザが検出できれば、需要予測部はこの周期も考慮に入れて需要予測を行うことができる。
【００７９】
必要量の閾値は、閾値１と閾値２とを含む。閾値１は、バッテリステーション１０２の充電量が不足しており、他のバッテリステーション１０２から充電量の大きい交換型バッテリ２４１を移動する必要があると判断するための０未満の閾値である。閾値２は、バッテリステーション１０２の充電量に余裕があり、他のバッテリステーション１０２に移動させることができる交換型バッテリ２４１を有していると判断するための０より大きい閾値である。閾値１および２は、所定の値、または需要予測と実際の利用履歴との誤差などに基づいて設定された値であってもよい。
【００８０】
続いて、Ｓ７０３で、バッテリステーション１０２の総充電量と必要量とを比較し、差分を計算する。本実施形態では、差分は充電量−必要量である。Ｓ７０３で、充電量が必要量より小さく、差分（充電量−必要量）が負の閾値である閾値１以下である場合、制御部２１１はそのバッテリステーション１０２の総充電量が不足していると判断してＳ７０５に進む。一例では、制御部２１１はＳ７０５で、そのバッテリステーション１０２の識別子と差分（不足量）とを１つのエントリとして不足リストに追加し、Ｓ７０７に進む。
【００８１】
Ｓ７０３で、すなわち、充電量が必要量より大きく、差分（充電量−必要量）が正の閾値である閾値２以上である場合、制御部２１１はそのバッテリステーション１０２の総充電量に余剰が出ていると判断してＳ７０６に進む。Ｓ７０６でも同様に、バッテリステーション１０２の識別子と差分（余剰量）とを１つのエントリとして余剰リストに追加してＳ７０７に進む。
【００８２】
Ｓ７０３で差分が閾値１より大きくかつ閾値２未満の場合、制御部２１１はバッテリステーション１０２の総充電量が余剰も不足もしていないと判断し、Ｓ７０４に進み、そのバッテリステーション１０２について移動プランを作成せず、Ｓ４０５を終了する。なお、Ｓ７０４では、以前当該バッテリステーション１０２が不足リストまたは余剰リストに追加されている場合は、当該バッテリステーション１０２のエントリをリストから削除してからＳ４０５の処理を終了してもよい。
【００８３】
続いて、Ｓ７０７で制御部２１１は余剰リストと不足リストとの比較を行う。例えば、余剰リストのバッテリステーションの１つ以上と、不足リストのバッテリステーションの１つ以上とが、一定距離以内で、かつ余剰量が不足量の絶対値以上である場合に制御部２１１は余剰リストと不足リストとでエントリが一致したと判断する。余剰リストと不足リストとでエントリが一致したと判断した場合、Ｓ７０８に進む。Ｓ７０８で、制御部２１１はＳ７０７で一致したエントリのバッテリステーション１０２の間で交換型バッテリの移動プランを作成し、Ｓ７０９に進む。ここで、Ｓ７０８で２つ以上のエントリを移動プランに追加した後、それらのエントリを削除してもよい。続いて、Ｓ７０９に進み、Ｓ４０５を終了する。余剰リストのバッテリステーションの１つと、不足リストのバッテリステーションの１つとが、一定距離より遠い、または余剰量が不足量の絶対値未満である場合、制御部２１１は余剰リストと不足リストとが一致しないと判断し、Ｓ７０９に進む。余剰リストと不足リストの全てのエントリに対して比較が終了すると、Ｓ７０９に進みＳ４０５の処理を終了する。
【００８４】
なお、本実施形態では、Ｓ７０７の余剰リストと不足リストとの比較は、一対一で行うものとしたが、一対多または多対多の比較が行われてもよい。例えば、余剰リストのバッテリステーション１０２の２つと、不足リストのバッテリステーション１０２の１つとを用いて１つまたは２つの移動プランが作成されてよい。一例では、一対多または多対多の比較のために、バッテリステーション１０２の位置情報および差分などをパラメータにした最適化問題を、ニューラルネットワークなどの数学的処理によって解き、これをＳ７０７の処理としてもよい。
【００８５】
以上説明したように、本実施形態では、情報処理装置１０１がバッテリステーション１０２の必要量を設定し、充電量と必要量との差分に基づいて移動プランを作成する。これによって、情報処理システム１００は、バッテリステーション１０２が所望の総充電量を確保するようにバッテリステーション１０２の総充電量を調整することができる。
【００８６】
また、本実施形態では、情報処理装置１０１が各バッテリステーション１０２のユーザ利用の予測を行う需要予測部を備え、需要予測に基づいて移動プランを作成する。これによって、バッテリステーション１０２ごとに必要な総充電量を予測し、あらかじめ総充電量を多くしておくことで、総充電量が不足する状況を回避することができる。
【００８７】
＜第四の実施形態＞
本実施形態では、移動プランに関する情報を、登録ユーザのユーザ端末に配信する情報処理システムについて説明する。本実施形態に係る情報処理システムのユーザは識別子を有し、情報処理装置１０１は、ユーザの利用履歴を格納するユーザ管理部と、作成した移動プランに関する情報を配信するための配信部とをさらに備える。
【００８８】
一例では、情報処理装置１０１の配信部は、情報処理装置１０１はＷｅｂサーバとしても機能し、Ｗｅｂサイトに移動プランを公開する、あるいは別個のＷｅｂサービスに移動プランをアップロードする。別の例では、配信部は特定のユーザ端末に対して、作成した移動プランに関する情報を含む、ショートメールサービス（ＳＭＳ）、電子メールまたはソーシャルネットワーキングサービスのメッセージなどを送信し、移動プランの実行を依頼することができる。別の例では、バッテリステーション１０２が表示部を備え、情報処理装置１０１から受信した移動プランに関する情報を表示部に表示してもよい。移動プランに関する情報とは、移動プランそのものであってもよいし、移動プランを閲覧するためのＷｅｂサイトへのリンク（ＵＲＬ）等であってもよい。別の例では、情報処理装置１０１は経路案内サービスを提供するサーバであり、ユーザからの目的地までの経路の問合せに応じ、目的地までの経路と、経路周辺のバッテリステーション１０２又は移動プランの少なくとも一つを当該ユーザに提示することができる。
【００８９】
また、情報処理装置１０１はさらにユーザ管理部を含みうる。例えば、情報処理システムのユーザは識別子を有し、バッテリステーション１０２を利用する際に、ユーザ端末または当該バッテリステーション１０２のユーザインタフェース（Ｉ／Ｆ）を介して情報処理装置１０１にユーザ識別子を送信する。これによって、情報処理装置１０１が、ユーザごとのバッテリステーション１０２または交換型バッテリ２４１の少なくとも１つの利用履歴を格納することができる。また、これによって、情報処理装置１０１が、作成した移動プランを実行したユーザを特定し、当該ユーザにインセンティブを付与することが可能となる。
【００９０】
ここで、図８を参照して、情報処理装置１０１が管理するユーザ情報データベースの一例を説明する。図８のユーザ情報は、情報処理装置１０１のストレージ２１２に格納される。ユーザ情報は、ユーザ若しくはバッテリステーション１０２の管理人が、ユーザ端末もしくはバッテリステーション１０２を介して情報処理装置１０１に送信し、制御部２１１がユーザ情報を登録・更新してもよい。あるいは、ユーザによるバッテリステーション１０２の利用を契機として、バッテリステーション１０２がユーザ端末または交換型バッテリ２４１と協働してユーザ情報を取得し、情報処理装置１０１に送信し、制御部２１１がユーザ情報を登録・更新してもよい。
【００９１】
ユーザ情報は、ユーザプロフィール８０１と実績情報８０２を含む。ユーザプロフィール８０１は、ユーザの識別子、メールアドレス、年齢、性別などのユーザ自身に関する情報である。実績情報８０２は、ユーザの行動に関する情報を格納する。例えば、ユーザがバッテリステーション１０２または交換型バッテリ２４１を利用した日時およびその内容を含む。実績情報には、課金およびインセンティブ（報酬）に関する情報を含んでもよく。また、実績情報は、図９に示すように、過去の一定期間にユーザが起こした行動に関する複数の実績情報を含む。
【００９２】
一例では、ユーザは、ユーザ端末を介してその位置情報を情報処理装置１０１に送信し、ユーザ管理部に格納する。さらに、情報処理装置１０１の配信部は、ユーザ端末の位置情報に基づき、作成した移動プランで指定されたバッテリステーション１０２から所定の距離以下のユーザのみに移動プランに関する情報を配信してもよい。あるいは、ユーザ端末は、その位置情報に基づき、情報処理装置１０１から受信した移動プランをユーザに通知するか判断してもよい。
【００９３】
次に、移動プランの配信画面の一例を、図９および図１０を参照して説明する。
【００９４】
図９は、ユーザから一定距離以内に位置するバッテリステーション間での交換型バッテリの移動プランを表示するための画面例である。
【００９５】
現在地８００は、移動プランに関する情報を受信したユーザの現在地を示す。バッテリステーション９０１〜９０５は、ユーザから一定距離以内に存在するバッテリステーションを示す。バッテリステーション９０１および９０５は、総充電量が余剰であると情報処理装置１０１が判断したバッテリステーション１０２である。バッテリステーション９０２は、総充電量が不足していると情報処理装置１０１が判断したバッテリステーション１０２である。
【００９６】
図９では、バッテリステーション９０１からバッテリステーション９０２へ交換型バッテリを移動する移動プラン９０６と、バッテリステーション９０５からバッテリステーション９０２へ交換型バッテリ２４１を移動する移動プラン９０７とが表示されている。
【００９７】
本実施形態では、移動プラン９０６と移動プラン９０７とが同様に表示されているが、複数の移動プランは、多様な基準で優先度付けされ、片方のみが表示されるまたは異なる大きさ等の書式で表示されてもよい。例えば、図９では、バッテリステーション９０１の総充電量がバッテリステーション９０５の総充電量より多いため、情報処理装置１０１はバッテリステーション９０１の余剰量の方が大きく、移動プラン９０６の優先度が高いと判断しうる。続いて、情報処理装置１０１は、バッテリステーション９０１に対応する移動プラン９０６を引き受けた方が高い報酬を得られるように設定し、ユーザが移動プラン９０６をより高確率で選択するように動機付けうる。別の例では、情報処理装置１０１は、複数の移動プランを、バッテリステーション１０２の利用頻度、交換型バッテリ２４１の個数、またはユーザからの距離など、任意の基準で優先度付けをして表示してもよいし、１つの移動プランのみを表示してもよい。なお、ユーザに与える報酬は、例えばユーザが移動させた交換型バッテリ２４１の電力量または総充電量が不足しているバッテリステーション１０２が必要としている電力量に基づいて情報処理装置１０１が判断してもよい。
【００９８】
報酬とは、例えば交換型バッテリ２４１の利用料金を割引または無料にするものであってもよく、電動車両の貸出料金や駐車料金などの割引などであってもよい。
【００９９】
ユーザが、例えば移動プラン９０６の引受けボタンを選択すると、ユーザ端末は情報処理装置１０１に、移動プラン９０６の引受けボタンを選択したユーザに関する情報を送信する。一例では、情報処理装置１０１は、ユーザ管理部に、当該ユーザが移動プラン９０６を実行していることを示す情報を格納し、他のユーザには移動プラン９０６を依頼しなくてもよい。
【０１００】
本実施形態では、情報処理装置１０１が、交換型バッテリ２４１を移動させたユーザを確認した後、報酬を与える。一例では、有人のバッテリステーションの場合、管理人が交換型バッテリ２４１の移動を確認し、情報処理装置１０１に当該移動を実行したユーザに関する情報を入力することで情報処理装置１０１がユーザに報酬を与えることができる。別の例では、ユーザがバッテリステーション１０２を介して情報処理装置１０１に当該ユーザに関する情報を送信することで情報処理装置１０１がユーザに報酬を与えることができる。例えば、情報処理装置１０１が、バッテリステーション９０１および９０２から充電情報を受信し、ユーザが実際に交換型バッテリを移動させたことを確認した後にユーザに報酬が与えられる。
【０１０１】
次に、ユーザの目的地までの経路の検索結果に合わせて交換型バッテリ２４１の移動プランを表示するための画面例を図１０に示す。
【０１０２】
現在地１０００は、目的地１００４までの経路を検索したユーザの現在地である。
【０１０３】
バッテリステーション１００１、１００２、１００３は、現在地１０００から目的地１００４までの経路から一定距離内に存在するバッテリステーションである。バッテリステーション１００１は、総充電量が余剰であると情報処理装置１０１が判断したバッテリステーションである。バッテリステーション１００３は、総充電量が不足していると情報処理装置１０１が判断したバッテリステーションである。
【０１０４】
ここで、現在地１０００から目的地１００４までの経路から一定距離内に存在するバッテリステーション間で、移動プランが作成された場合、情報処理装置１０１は１００５のように、走行予定経路の検索結果に合わせて、移動プランを提示してもよい。さらに、情報処理装置１０１は１００６のように、移動プランを含まない、最短の走行予定経路の検索結果のみを提示してもよい。
【０１０５】
以上説明したように、本実施形態では、バッテリステーションは、ユーザを識別するユーザ識別情報をセンターステーションに入力し、情報処理装置は、受信したユーザ識別情報に基づいてユーザの利用履歴を管理するユーザ管理部を備える。これによって、ユーザの利用履歴に基づいて課金やインセンティブの付与の判断ができる。
【０１０６】
また、本実施形態では、移動プランの実行を行ったユーザの実績情報をユーザ管理部に格納する。これによって、ユーザに対してインセンティブ（報酬）を付与して交換型バッテリの移動を促進することができる。
【０１０７】
＜第五の実施形態＞
第一実施形態では、情報処理装置１０１は、バッテリステーションの総充電量に基づき移動プランを作成したが、一例ではバッテリステーションが保持可能な電力量に対する実際に保持している電力量の割合に基づき移動プランを作成してもよい。
【０１０８】
本実施形態では、バッテリステーションが保持可能な電力量、すなわち配置可能な交換型バッテリ２４１の蓄電容量の合計、に対する実際に保持している電力量（充電率）に基づき移動プランを作成する情報処理装置１０１の一例を図１１を参照して説明する。第一の実施形態と同様の構成または処理については説明を省略する。なお、別の例では、充電率は、バッテリステーションに実際に配置されている交換型バッテリ２４１の蓄電容量の合計に対する、実際の充電量の合計の割合であってもよい。
【０１０９】
図１１では、２つのバッテリステーション１１０１、１１０２が示されている。バッテリステーション１１０１は、９つの交換型バッテリを配置可能なバッテリステーションであり、実際には交換型バッテリ１〜９を備えている。バッテリステーション１１０２は、３つの交換型バッテリを配置可能なバッテリステーションであり、実際には交換型バッテリ１０〜１２を備えている。ここで、交換型バッテリは１つあたり１００ｋＷｈの容量を有するものとする。
【０１１０】
バッテリステーション１１０１が保持可能な電力量は、９×１００ｋＷｈ＝９００ｋＷｈであり、実際の交換型バッテリの残充電量の合計は、５０＋４０＋６０＋３０＋７０＋４５＋４０＋４０＋３０＝４０５ｋＷｈである。そのため、４０５／９００＝０．４５（４５％）がバッテリステーション１１０１の充電率である。同様に、バッテリステーション１１０２が保持可能な電力量が３００ｋＷｈであり、実際の交換型バッテリ１０〜１２の残充電量の合計は、９０＋１００＋８０＝２７０ｋＷｈである。そのため、２７０／３００＝０．９（９０％）がバッテリステーション１１０２の充電率である。
【０１１１】
本実施形態では、バッテリステーション１１０１および１１０２は、Ｓ４０２で、充電情報として、各交換型バッテリの充電量に関する情報を送信してもよいし、バッテリステーションの充電率に関する情報を送信してもよい。例えば、バッテリステーションは総充電量と、配置される交換型バッテリの個数とに関する情報を送信し、情報処理装置１０１は、受信した総充電量を個数で除算することで、充電率を算出してもよい。
【０１１２】
本実施形態では、情報処理装置１０１は、あるバッテリステーションから、充電率が３０％以上少ないバッテリステーションへの交換型バッテリ２４１の移動プランを作成するものとする。そのため、バッテリステーション１１０２からバッテリステーション１１０１への交換型バッテリの移動プランが作成される。
【０１１３】
一例では、情報処理装置１０１は、総充電量と充電率との両方を考慮してバッテリステーションの移動プランを作成してもよい。この場合、情報処理装置１０１は、あるバッテリステーションから、当該バッテリステーションより総充電量が１００ｋＷｈ以上少ないかつ充電率が３０％以上低いバッテリステーションへの交換型バッテリの移動プランを作成してもよい。図１１の例では、バッテリステーション１１０１の総充電量が４０５ｋＷｈであり、バッテリステーション１１０２の総充電量が２７０ｋＷｈであり、総充電量の差は１３５ｋＷｈであり、１００ｋＷｈ以上である。しかしながら、充電量の差が逆に４５％少なく、３０％以上多くないため、情報処理装置１０１は、移動プランを作成しなくてもよい。
【０１１４】
あるいは、情報処理装置１０１は、総充電量と充電率とのどちらか１つを考慮してバッテリステーションの移動プランを作成してもよい。この場合、情報処理装置１０１は、例えばあるバッテリステーションから、総充電量が１００ｋＷｈ以上少ないまたは充電率が３０％以上少ないバッテリステーションへの交換型バッテリ２４１の移動プランを作成してもよい。図１１の例では、バッテリステーション１１０１の総充電量が４０５ｋＷｈであり、バッテリステーション１１０２の総充電量が２７０ｋＷｈであり、総充電量の差が１３５ｋＷｈであり、１００ｋＷｈ以上である。そのため、情報処理装置１０１は、バッテリステーション１１０１からバッテリステーション１１０２への交換型バッテリ２４１の移動プランを作成しうる。また、バッテリステーション１１０１の充電率が４５％であり、バッテリステーション１１０２の充電率が９０％であり、差が３０％以上である。そのため、情報処理装置１０１は、バッテリステーション１１０２からバッテリステーション１１０１への交換型バッテリ２４１の移動プランも作成しうる。
【０１１５】
以上説明したように、本実施形態では、情報処理装置は、バッテリステーションが保有できる交換型バッテリの容量の合計に対する実際の充電量の合計の割合（充電率）に基づいて移動プランを作成する。これによって、情報処理装置１０１は、バッテリステーション間で充電率を平準化することができる。
【０１１６】
＜その他の実施形態＞
上記第一から第四の実施形態は随意に組み合わせることができる。例えば、情報処理システムは、第三の実施形態に係る移動プランの作成を行い、それを第四の実施形態に係る配信部でユーザに配信してもよい。
【０１１７】
一実施形態では、バッテリステーション１０２は、外部装置に交換型バッテリ２４１の電力を供給可能な給電部をさらに有する。これによって、交換型バッテリ２４１を電動車両に使用するだけではなく、災害時にはバッテリステーション１０２を予備電源としても利用できるため、一般家庭へのバッテリステーション１０２の導入を促進できる。
【０１１８】
また、一実施形態では、バッテリステーション１０２に配置された交換型バッテリのみではなく、ユーザが操作する電動車両に搭載された交換型バッテリ２４１の充電量に基づいて移動プランを作成してもよい。例えば、ユーザは、電動車両を利用してバッテリステーション１０２に移動し、当該電動車両に搭載された交換型バッテリ２４１と、移動プランで指定された交換型バッテリ２４１とを交換し、バッテリステーション１０２に移動してもよい。そのような場合、情報処理装置は、電動車両に搭載された交換型バッテリ２４１の充電量と、当該電動車両を利用してバッテリステーション１０２間を移動するために必要な電力量とを考慮して移動プランを作成してもよい。これによって、ユーザが電動車両を利用してバッテリステーション１０２間または目的地までの走行ができるか否かを考慮して移動プランを作成することができる。
【０１１９】
一実施形態では、３つ以上のバッテリステーション１０２間での交換型バッテリ２４１の移動プランを作成してもよい。例えば、バッテリステーションＡに配置された交換型バッテリ１をバッテリステーションＢに移動し、バッテリステーションＢに配置された交換型バッテリ２と交換し、交換型バッテリ２をバッテリステーションＣに移動するよう移動プランを作成してもよい。これによって、３つ以上のバッテリステーションに配置された交換型バッテリを用いて総充電量の調整を行うことができる。
【０１２０】
一実施形態では、情報処理装置１０１は、バッテリステーション１０２に移動すべき交換型バッテリの識別子を送信し、ユーザにはどの交換型バッテリを交換すべきか指示しなくてもよい。例えば、ユーザにはバッテリステーションＡからバッテリステーションＢに交換型バッテリを移動するよう指示するとともに、バッテリステーションＡに交換型バッテリの識別子を送信することができる。バッテリステーションＡは、ユーザが到着すると、交換すべき交換型バッテリをユーザＩ／Ｆを介してユーザに通知し、ユーザが不要な入力なしに移動プランを実行することを可能にする。
【０１２１】
一実施形態では、１つのバッテリステーション１０２が、異なる蓄電容量を有する交換型バッテリを充電可能であってもよい。そのような場合でも、バッテリステーション１０２の総充電量は同様に計算することができる。また、第三の実施形態で説明したように、バッテリステーション１０２の必要量を推定する場合は、情報処理装置１０１は蓄電容量が異なる交換型バッテリをまとめてバッテリステーション１０２の必要量を推定してもよい。あるいは、同一の蓄電容量を有する交換型バッテリごとに必要量を計算し、同一の蓄電容量を有する交換型バッテリごとの充電量と比較してもよい。
【０１２２】
＜実施形態のまとめ＞
１．上記実施形態の情報処理システム（例えば１００）は、
複数のバッテリステーション（例えば１０２）と、情報処理装置（例えば１０１）とを備えた情報処理システム（例えば１００）であって、
それぞれのバッテリステーション（例えば１０２）は、
交換型バッテリ（例えば２４１）を充電可能な充電手段（例えば２２４）と、
前記バッテリステーションに配置されている交換型バッテリ（例えば２４１）の充電量に関わる充電情報を送信する第一の通信手段（例えば２２３）と、を備え、
前記情報処理装置（例えば１０１）は、
前記第一の通信手段から前記充電情報を受信する第二の通信手段（例えば２１３）と、
受信した前記充電情報に基づいてバッテリステーション（例えば１０２）毎の充電量を特定する特定手段（例えばＳ４０４）と、
特定したバッテリステーション毎の前記充電量に基づいて、前記バッテリステーション間での交換型バッテリの移動プランを作成する移動計画手段（例えばＳ４０５）と、
を備えることを特徴とする。
【０１２３】
これによって、交換型バッテリが配置されるバッテリステーションが保有する電力（充電量）を調整することができる。
【０１２４】
２．バッテリステーション毎の前記充電量は、該バッテリステーションに配置されている交換型バッテリの総充電量であることを特徴とする。
【０１２５】
これによって、バッテリステーションの総充電量を平準化することができる。
【０１２６】
３．バッテリステーション毎の前記充電量は、該バッテリステーションに配置可能な交換型バッテリの容量の合計に対する配置されている交換型バッテリの充電量の合計の割合であることを特徴とする。
【０１２７】
これによって、バッテリステーションが保有できる充電量に対する実際に保有している充電量の割合を平準化することができる。
【０１２８】
４．上記実施形態の情報処理システム（例えば１００）は、
前記移動計画手段が、充電量が多い前記バッテリステーションから充電量が少ない前記バッテリステーションへ、交換型バッテリが移動されるように移動プランを作成することを特徴とする。
【０１２９】
これによって、充電量の少ないバッテリステーションの充電量を平準化し、そこに配置された交換型バッテリの充電を待つより早く改善することができる。
【０１３０】
５．上記実施形態の情報処理システム（例えば１００）は、
前記充電情報は、前記バッテリステーションに配置されている交換型バッテリの充電量の合計に関する情報であることを特徴とする。
【０１３１】
これによって、情報処理装置がバッテリステーションから受信するデータ量を削減し、情報処理装置の処理負荷を抑えることができる。
【０１３２】
６．上記実施形態の情報処理システムは、
前記充電情報が、前記バッテリステーションに配置されている交換型バッテリの個別の充電量に関する情報を含み、
前記特定手段は、各交換型バッテリの充電量を合計して前記バッテリステーションの前記充電量を演算することを特徴とする。
【０１３３】
これによって、情報処理装置が、交換型バッテリを移動させるとどの程度総充電量が変化するのか見積もることができる。
【０１３４】
７．上記実施形態の情報処理システム（例えば１００）は、
前記充電情報が各交換型バッテリの識別子を含み、
前記移動計画手段は、少なくとも１つの前記交換型バッテリの前記識別子を含む前記移動プランを作成することを特徴とする。
【０１３５】
これによって、情報処理装置が識別子を指定して交換型バッテリの移動を依頼することが可能になる。
【０１３６】
８．上記実施形態の情報処理システム（例えば１００）は、
前記移動計画手段が、２つのバッテリステーションの充電量の差が第一の閾値を超えた場合に、充電量が多いバッテリステーションから充電量が少ないバッテリステーションへ、交換型バッテリが移動されるように移動プランを計画することを特徴とする。
【０１３７】
これによって、情報処理装置が、バッテリステーションの充電量を相対的に比較して平準化することが可能となる。
【０１３８】
９．上記実施形態の情報処理システム（例えば１００）は、
前記移動計画手段は、各バッテリステーションの総充電量と基準値とを比較し（例えばＳ７０３）、総充電量が基準値より多くかつ総充電量と基準値との差が第二の閾値以上であるバッテリステーションから、総充電量が基準値より少なくかつ基準値と総充電量との差が第三の閾値以上であるバッテリステーションへ、交換型バッテリが移動されるように移動プランを作成すること（例えばＳ７０８）を特徴とする。
【０１３９】
これによって、バッテリステーションが所望の総充電量を確保するように、情報処理装置がバッテリステーションの総充電量を調整することができる。
【０１４０】
１０．上記実施形態の情報処理システム（例えば１００）は、
前記情報処理装置は、各バッテリステーションの需要の予測を行う需要予測手段をさらに含み、
前記移動計画手段は予測した前記需要にさらに基づいて前記移動プランを作成することを特徴とする。
【０１４１】
これによって、バッテリステーションごとに必要な総充電量を予測し、あらかじめ総充電量を多くしておくことで、ユーザ利用によって総充電量が不足する状況を回避することができる。
【０１４２】
１１．上記実施形態の情報処理システム（例えば１００）は、
前記情報処理装置が、
前記交換型バッテリの移動プランに関する情報を、登録ユーザのユーザ端末に配信する配信手段をさらに備えることを特徴とする。
【０１４３】
これによって、特定のユーザに対してメールなどで直接的に指示することができ、交換型バッテリの移動を促進することができる。
【０１４４】
１２．上記実施形態の情報処理システム（例えば１００）は、
前記第一の通信手段は、前記バッテリステーションを利用したユーザを識別するユーザ識別情報を送信し、
前記情報処理装置が、前記第二の通信手段で受信した前記ユーザ識別情報に基づいて、ユーザの利用履歴を管理するユーザ管理手段をさらに備えることを特徴とする。
【０１４５】
これによって、ユーザの利用履歴に基づいて課金やインセンティブの付与の判断ができる。
【０１４６】
１３．上記実施形態の情報処理システム（例えば１００）は、
前記情報処理装置が、作成した前記移動プランに従って交換型バッテリを移動させたユーザの実績情報を前記ユーザ管理手段に格納することを特徴とする。
【０１４７】
これによって、ユーザに対してインセンティブ（報酬）を付与して交換型バッテリの移動を促進することができる。
【０１４８】
１４．上記実施形態の情報処理システム（例えば１００）は、
前記バッテリステーションが、前記交換型バッテリから外部装置に電力を供給可能な給電手段をさらに有することを特徴とする。
【０１４９】
これによって、交換型バッテリ２４１を電動車両に使用するだけではなく、災害時にはバッテリステーション１０２を予備電源としても利用できるため、一般家庭へのバッテリステーション１０２の導入を促進できる。
【０１５０】
１５．上記実施形態の情報処理装置（例えば１０１）は、
複数のバッテリステーション（例えば１０２）と通信可能な情報処理装置（例えば１０１）であって、
それぞれのバッテリステーション（例えば１０２）は、
交換型バッテリを充電可能な充電手段（例えば２２４）と、
前記バッテリステーションに配置されている交換型バッテリの充電量に関わる充電情報を送信する第一の通信手段（例えば２２３）と、を備え、
前記情報処理装置は、
前記第一の通信手段から前記充電情報を受信する第二の通信手段（例えば２１３）と、
受信した前記充電情報に基づいてバッテリステーション毎の充電量を特定する特定手段（例えばＳ４０４）と、
特定したバッテリステーション毎の前記充電量に基づいて、前記バッテリステーション間での交換型バッテリの移動プランを作成する移動計画手段（例えばＳ４０５）と、
を備えることを特徴とする。
【０１５１】
これによって、交換型バッテリが配置されるバッテリステーションが保有する電力を調整することができる。
【０１５２】
１６．上記実施形態の情報処理方法は、
複数のバッテリステーション（例えば１０２）であって、
交換型バッテリ（例えば２４１）を充電可能な充電手段（例えば２２４）と、
それぞれのバッテリステーションに配置されている交換型バッテリ（例えば２４１）の充電量に関わる充電情報を送信する第一の通信手段（例えば２２３）と、を備える前記複数のバッテリステーションと通信可能な情報処理装置（例えば１０１）で実行され、
前記第一の通信手段から前記充電情報を受信する通信工程（例えばＳ４０３）と、
受信した前記充電情報に基づいてバッテリステーション毎の充電量を特定する特定工程（例えばＳ４０４）と、
特定したバッテリステーション毎の前記充電量に基づいて、前記バッテリステーション間での交換型バッテリの移動プランを作成する移動計画工程（例えばＳ４０５）と、
を含むことを特徴とする。
【０１５３】
これによって、交換型バッテリが配置されるバッテリステーションが保有する電力（総充電量）を調整することができる。
【０１５４】
本発明は上記実施の形態に制限されるものではなく、本発明の精神及び範囲から逸脱することなく、様々な変更及び変形が可能である。従って、本発明の範囲を公にするために、以下の請求項を添付する。
【図１】
0006907345.tif 000002
【図２】
0006907345.tif 000003
【図３】
0006907345.tif 000004
【図４】
0006907345.tif 000005
【図５Ａ】
0006907345.tif 000006
【図５Ｂ】
0006907345.tif 000007
【図６】
0006907345.tif 000008
【図７】
0006907345.tif 000009
【図８】
0006907345.tif 000010
【図９】
0006907345.tif 000011
【図１０】
0006907345.tif 000012
【図１１】
0006907345.tif 000013